(57)【要約】【課題】いちいち画面を切り替えなくても、様々な観点で集計したデータを表示し、様々な角度から、営業結果データを解析することができるようにした営業結果管理システムを提供することである。【解決手段】遊技場における１日の営業結果を集計する集計処理手段６と、その結果を日付ごとに記憶する記憶手段５と、営業結果を表示する表示処理手段７とを備え、上記表示処理手段は、日付欄１０とその日の営業結果を表示する営業結果欄１１とを上下又は左右に並べ、上下又は左右に並べた日付欄と営業結果欄とを曜日ごとに列を替え、かつ、日付順に並べてマトリックス状に表示する機能と、上記営業結果欄に対応する営業結果のデータを上記記憶手段から抽出して表示する機能とを備えた。【選択図】　図１
2004024562.tif 000002
【特許請求の範囲】
【請求項１】
遊技場における１日の営業結果を集計する集計処理手段と、その結果を日付ごとに記憶する記憶手段と、営業結果を表示する表示処理手段とを備え、上記表示処理手段は、日付欄とその日の営業結果を表示する営業結果欄とを上下又は左右に並べ、上下又は左右に並べた日付欄と営業結果欄とを曜日ごとに列を替え、かつ、日付順に並べてマトリックス状に表示する機能と、上記営業結果欄に対応する営業結果のデータを上記記憶手段から抽出して表示する機能とを備えた遊技場の営業結果管理システム。
【請求項２】
表示処理手段は、同一曜日に対応する日付欄および営業結果欄を同一列に表示する機能と、行単位の行集計欄を表示する機能と、行単位の合計および平均値の一方または両方を算出して、その算出結果を上記行集計欄に表示する機能とを備えた請求項１に記載の遊技場の営業結果管理システム。
【請求項３】
表示処理手段は、営業結果データの曜日別の合計および平均値の一方または両方を算出する機能と、その計算結果を表示する曜日別集計欄を表示する機能と、少なくとも営業結果表示欄に表示したデータを含んだ曜日別の合計および平均値の一方または両方を算出して、その算出結果を上記曜日別集計欄に表示する機能とを備えた請求項１または２に記載の遊技場の営業結果管理システム。
【請求項４】
表示処理手段は、月単位の月集計欄を表示する機能と、暦の月単位の営業結果データを集計してその集計結果を月単位の集計欄に表示する機能とを備えた請求項１〜３のいずれか１に記載の遊技場の営業結果管理システム。
【請求項５】
表示処理手段は、各日付欄に対応した情報記入欄を表示する機能を備える一方、この情報記入欄に情報を入力する入力手段を別に設けてなる請求項１〜４のいずれか１に記載の遊技場の営業結果管理システム。
【発明の詳細な説明】
【０００１】
【発明の属する技術分野】
この発明は、パチンコ店などの遊技場における、日々の営業結果を管理するシステムに関する。
【０００２】
【従来の技術】
遊技場では、遊技台ごとに、そのアウト数や、セーフ数、稼働率、売上げ金額などのデータを、コンピュータが収集して記憶し、これらを基にして日ごとや、週ごと、月ごとで集計した結果を帳票として出力している。特に、遊技場では、週単位の集計データを作成することが多い。
出力される帳票として、遊技場ごとに、１日分の全遊技台のデータを集計し、さらに１週間分の売上げや、粗利、景品割数（（景品金額／売上げ金額）×１０）などを表示した帳票を出力させることができる。
【０００３】
例えば、図５に示すような週ごとの売上げを示した帳票がある。これは、一定期間内のデータを週ごとにまとめ、行方向に、その週の売上げ合計、カード売上げ、…、などの項目別データを表示している。
同様に月別データの集計結果や、曜日別の集計結果を表す帳票を作成して、それぞれ出力することができる。
また、各日のデータも、それぞれ表示するようにしていた。
【０００４】
【発明が解決しようとする課題】
上記のように、遊技場における売上げ金額などの営業結果を、週ごとや月ごと、あるいは、曜日別に集計し、その結果をそれぞれの帳票として、出力することができる。
例えば、週別の帳票を出力した場合、各週ごとの集計結果を対比することはできる。
また、日々のデータを見たい場合には、日にちを指定すれば、特定の日のデータを表示させることもできた。
【０００５】
しかし、週別に集計した帳票の中で、他の週のデータと異なる特定の週に着目した場合に、その週の詳細データ、つまり日々のデータがどうなっているのかを見る場合には、週別に集計した帳票とは別に、日別の集計結果帳票を出力しなければならない。また、例えば、曜日別のデータを見る場合には、さらに、曜日別に集計した別の帳票を出力しなければならなかった。
【０００６】
つまり、営業結果データをいろいろな角度から解析しようとした場合、画面を切り替えて異なる種類の帳票を別々に出力しなければならないという問題があった。
この発明の目的は、いちいち画面を切り替えなくても、様々な観点で集計したデータを表示し、様々な角度から、営業結果データを解析することができるようにした営業結果管理システムを提供することである。
【０００７】
【課題を解決するための手段】
第１の発明は、遊技場における１日の営業結果を集計する集計処理手段と、その結果を日付ごとに記憶する記憶手段と、営業結果を表示する表示処理手段とを備え、上記表示処理手段は、日付欄とその日の営業結果を表示する営業結果欄とを上下又は左右に並べ、上下又は左右に並べた日付欄と営業結果欄とを曜日ごとに列を替え、かつ、日付順に並べてマトリックス状に表示する機能と、上記営業結果欄に対応する営業結果のデータを上記記憶手段から抽出して表示する機能とを備えた点に特徴を有する。
【０００８】
第２の発明は、表示処理手段は、同一曜日に対応する日付欄および営業結果欄を同一列に表示する機能と、行単位の行集計欄を表示する機能と、行単位の合計および平均値の一方または両方を算出して、その算出結果を上記行集計欄に表示する機能とを備えた点に特徴を有する。
なお、ここでは、マトリックスの横方向を行方向、縦方向を列方向ということにする。したがって、上記行単位の合計とは、横一列に並んだデータの合計のことである。
【０００９】
第３の発明は、表示処理手段が、営業結果データの曜日別の合計および平均値の一方または両方を算出する機能と、その計算結果を表示する曜日別集計欄を表示する機能と、少なくとも営業結果表示欄に表示したデータを含んだ曜日別の合計および平均値の一方または両方を算出して、その算出結果を上記曜日別集計欄に表示する機能とを備えた点に特徴を有する。
【００１０】
第４の発明は、表示処理手段が、月単位の月集計欄を表示する機能と、暦の月単位の営業結果データを集計してその集計結果を月単位の集計欄に表示する機能とを備えた点に特徴を有する。
第５の発明は、表示処理手段が、各日付欄に対応した情報記入欄を表示する機能を備える一方、この情報記入欄に情報を入力する入力手段を別に設けてなる点に特徴を有する。
【００１１】
【発明の実施の形態】
図１、図２に、この発明の第１実施例を示す。
図１のように、遊技場内に設置された遊技台１には、それぞれ台端末２を接続している。この台端末２には、遊技場からのお知らせなどを表示するディスプレイ３と、会員カードを読み取るカード読み取り手段４とを備えるとともに、遊技台１に対して、玉の払い出し要求をする玉貸し手段も備えている。そして、台端末２をホールコンピュータＣに接続している。
【００１２】
上記ホールコンピュータＣは、記憶手段５と、集計処理手段６と、表示処理手段７とを備え、表示処理手段７には、ディスプレイ８を接続している。
そして、ホールコンピュータＣには、台端末２を介して、遊技台１の台情報や、玉貸し金額が入力されるとともに、図示しない手段から、交換された景品の金額などが入力され、これらのデータは、記憶手段５に蓄積される。
上記集計処理手段６は、記憶手段５に記憶された生データを集計して、１日の営業結果データとして、記憶手段５に記憶させることである。
表示処理手段７は、記憶手段５に記憶された日々のデータを、図２に示すように、マトリックス状にして表示させる機能を備えている。
【００１３】
図２の表Ｔ１は、最上部に曜日を１週間分並べた曜日欄９を備え、その下に、対応する日付欄１０を設けている。さらに、各日付欄１０の下には、その日の営業結果を表示する営業結果欄１１と、メモ欄１２とを設けている。このように、日付欄１０と営業結果欄１１と、メモ欄１２とセットにしたものを、１週間分横１列、すなわち行方向に並べ、さらに、それを、ここでは５週間分並べている。したがって、各営業結果欄１０における同一曜日の欄が、縦１列に並んで、各日付欄１０は、カレンダーのように配置される。
【００１４】
なお、ここでは、上記表Ｔ１をマトリックスと考え、横方向を行方向、縦方向を列方向ということにする。
さらに、上記営業結果欄１１は、複数の項目を表示できるように分割している。その項目は、左端の列の項目表示欄１３に表示しているが、この第１実施例では、「売上げ」、「実質粗利」、「割数」を表示するようにしている。なお、「割数」とは、パチンコ玉などの遊技媒体と交換した景品の金額を、売上げ金額で割った値に１０をかけたものである。
そして、上記営業結果項目は、図２に示すように、営業結果欄１１の中に縦に一列に並べたものに限らない。例えば、１つの営業結果欄１１内に、複数列に項目を並べてもかまわない。さらに、上記営業結果欄１１も、日付欄１０の下だけでなく横に並べるようにしても良い。要するに、日付欄１０と、対応する営業結果欄１１との対応が明らかになる並べ方をすればよい。
【００１５】
また、各日付に対応したメモ欄１２は、その店のイベントや、他店のイベントなど、営業結果に影響を与えそうな事柄を記入しておく欄である。各メモ欄１２には、コンピュータＣのキーボードなどの入力手段を用いて必要事項を記入するようにする。上記メモ欄１２が、この発明の情報記入欄であり、キーボードが、この発明の入力手段にあたる。
上記表示処理手段７は、各日の営業結果データを記憶手段５から引き出して、上記のような各欄を備えたフォーマットに当てはめてディスプレイ８に表示させる。
【００１６】
図２に示す表Ｔ１は、「２００２年７月」の営業結果を示す表であるが、カレンダーの各日にちに対応した営業結果データが表示されている。この表Ｔ１には、７月中、１ヶ月間毎日の売上げなどの営業結果データを全て一覧することができる。従って、特定の日におけるデータを、他のデータと比較して解析する際にも、いちいち、別のフォーマットにまとめられた表を出力し直さなくてもい。例えば、７月中で、最も売上げの多かった日を特定することもすぐにできるし、その原因を考えるときにも、同じ画面のまま、他の日のデータと対比することができる。
【００１７】
さらに、上記特定の日のデータを、同じ週の、他の日のデータと対比したり、同じ曜日の、他の週のデータと比較したりすることによって、上記特定の日の営業結果に何が影響しているのかを推測することもできる。
従来例のようなシステムなら、週別集計表をみて、最も売上げの多い週を見つけたら、その原因を解析するためには、その週に含まれる日々のデータを１日分ずつ表示させて確認するというような、手間をかけなければならなかった。
また、上記メモ欄１２に記入された情報を後から見ることによって、イベントなど、その日の特別な状況を後から知ることができる。例えば、非常に売上げ低かった場合、近所の競合店の新装開店日であったというようなことが記録されていれば、そのことが、自店の売上げが落ちた原因ではないかと考えることができる。
【００１８】
なお、営業結果項目としては、上記の「売上げ」、「実質粗利」、「割数」に限らないし、その数もいくつでも良い。ただし、項目数があまり大きくなると、表Ｔ１が大きくなって一覧し難くなるので、その場合には、全ての項目を一度に表示させないで、プルダウン画面を設けるなどして、表示する項目を選択できるようにしてもよい。
上記情報記入欄であるメモ欄１２に記入した情報も、全ての内容を直接表示するだけでなく、その欄や記入内容に合わせたマーク等をクリックすると、改めて、ウインドウが表れ、その中に情報を表示させるようにしてもよいし、マウスポインタで、その場所を指示すると吹き出しとして、情報が表示されるようにしても良い。
【００１９】
さらに、図２には、各行に、１週間分のデータを表示するようにしているが、行方向は、１週間分に限らず、例えば、２週間、３週間分の営業結果欄１１を並べるように、あらかじめ、コンピュータＣに設定しておくこともできる。また、列方向も、５週に限らない。要するに、日々の営業結果データを、マトリックス状に表示することによって、いちいち画面を切り替えないでデータの対比ができるようにする。ただし、マトリックスのセルが多すぎると、同一画面であっても、データの対比がし難くなるので、適当な大きさにすることが好ましい。
【００２０】
図３には、第２実施例のシステムで出力される２００２年７月の営業結果の表Ｔ２を表している。
第２実施例のシステム構成は、図１に示す第１実施例と同様なので、以下の説明には、図１を用いるが、各構成要素の説明は省略する。
コンピュータＣの表示処理手段７によって、ディスプレイ８に表示される表Ｔ２は、曜日欄９と、日付欄１０と、営業結果欄１１、メモ欄１２、項目表示欄１３とを備え、各欄の機能は上記第１実施例の表Ｔ１と同じである。ただし、表Ｔ２の右端の列には、週の合計を表示する週合計欄１４と、７月度の合計を表示する月度合計欄１５が設けられ、一番下の行には、上記営業結果欄１１の各項目に対応した曜日別の合計を表示する曜日別合計欄１６を設けている。
【００２１】
上記週合計欄１４は、第１週合計、第２週合計…というように、各週に対応して設けられていて、その中は、営業結果欄１１の項目に対応している。そして、この週合計欄１４には、同じ行のデータを合計した値を表示する。すなわち、この週合計欄１４が、この発明の行集計欄である。
また、上記曜日別合計欄１６は、この発明の曜日別集計欄である。
このような表Ｔ２は、以下のようにして、ディスプレイ８に表示される。
まず、コンピュータＣには、各台端末２を介して、遊技台情報や、玉貸し金額などが入力されるとともに、景品金額などが入力される。これら入力されたデータを集計処理手段６が、１日当たりのデータとして集計し、記憶手段５に記憶させる。
【００２２】
次に、表示処理手段７は、図３に示す表Ｔ２に各欄に対応するデータを上記記憶手段５から抽出して表示させる。ただし、上記週合計欄１４を表示する際には、その週の７日間分のデータを合計してから、それをあてはめるようにする。また、曜日別合計欄１６にも、曜日ごと、項目ごとに合計値を算出して、それをあてはめて表示する。
また、月度合計欄１５には、その月の合計、すなわち７月１日〜７月３１日の営業結果データの合計を算出して、それをあてはめて表示する。この月度合計欄１５が、この発明の月集計欄である。
【００２３】
このようにして表示された表Ｔ２なら、日々のデータと同時に、週ごとの合計や、曜日ごとの合計を見ることができる。また、その月の合計も見ることができる。
週合計欄１４を設けることによって、各週合計を対比しながら、それらの詳細データを見ることができるし、曜日別合計欄１６を表示することによって、曜日別の合計データとその詳細データを見ることができる。さらに、同じ表Ｔ２で、月度合計も見ることができる。これら全てのデータを、いちいち画面を切り替えないで見ることができるため、大変便利である。
なお、上記行集計欄や曜日別集計欄、月集計欄には、合計の代わりに平均値を表示するようにしてもよいし、両方を表示するようにしてもかまわない。
【００２４】
また、図３は、２００２年７月度の営業結果を表した表Ｔ２であるが、第１週には６月３０日、第５週には８月１〜３日に対応する結果表示欄１１が含まれている。このような前後の月の日付欄やデータは、表示するようにしてもしなくてもかまわないし、それらのデータを行の集計や曜日別集計に利用してもしなくてもかまわない。
ただし、月度合計欄１５に表示するデータは、前後の月のデータを除いて、暦の月単位の営業結果データのみに基づいて算出するようにしている。
【００２５】
さらに、この第２実施例では、２００２年７月の月報として、その月のデータを表した表Ｔ２を一覧できるように、ディスプレイに固定的に表示しているが、ディスプレイ８が小さい場合には、画面をスクロールすることによって全てを表示させるようにしても良い。つまり、ディスプレイ８には、上記表Ｔ２の全てが一度に表示されているのではないが、画面をスクロールすれば、全てを見ることができる。
【００２６】
例えば、ディスプレイ上に、３行分のデータしか表示できないとして、第１週から、第３週までの営業結果データが表示されているときには、第４週の日付欄１０から曜日別合計欄１６までは表示されない。そして、画面をスクロールして、第４週目の行を表示させると、第１週目の行が表示されなくなるというものである。このように固定された表Ｔ２を部分的に表示させるようにしても、いちいち別の画面を立ち上げる場合と比べて、集計値と詳細データとを対比しやすい。
【００２７】
図４には、第３実施例の営業結果の表Ｔ３を示している。
この第３実施例においても、システムの全体構成は、図１と同様である。また、上記表Ｔ３においても、上記第２実施例と同様の欄には、図３と同じ符号を付けている。
この表Ｔ３は、一番下の行に曜日別集計欄である曜日別平均欄１７を設けている。また、この曜日別平均欄１７の右側に、年合計欄１８を表示している。
【００２８】
そして、曜日別平均欄１７に表示するデータは、１年間の曜日別平均値である。例えば、２００２年７月から、過去１年間のデータ、つまり２００１年８月１日から２００２年７月３１日までのデータを曜日別に集計したものである。また、年合計欄１８には、上記１年間の合計値を表示させる。そして、計算範囲は、いつからという、基準の日を設定することによって、その日からさかのぼって１年間とされるものとする。
そして、ディスプレイ８には、一度に１年分のデータを表示させることはできないで、１ヶ月分のデータだけしか表示させることができないものとする。
【００２９】
また、画面上では、日々の営業結果を示した部分にスクロールバー１９を設け、その部分だけスクロールさせて、過去のデータを表示させることができるようにしている。ただし、曜日別平均欄１７や年合計欄１８は、常に表示させ、その中にあてはめるデータは変化させない。これにより、曜日別平均欄１７のデータとその詳細データとを同一画面で対比してみることができる。ここでは、曜日別集計欄として、曜日別平均欄１７を表示させた例を説明したが、曜日別平均欄１７の代わりに、曜日別合計欄を表示させてもよいし、平均欄と合計欄の両方とも表示させるようにしてもかまわない。
【００３０】
どちらにしても、曜日別集計欄とその集計結果に含まれる詳細データとを同時に見ることができるようにしているので、それらの対比がしやすい。
特に、集計対象となるデータを、数週間や１ヶ月間のような短い期間のデータではなく、過去１年間の合計や平均というような場合には、個々の行の詳細データを表示させているときにも、曜日別集計欄だけは、いつも表示させておくようにすると便利である。もしも、集計期間の最後のデータ、ここでは、２００２年７月を表示させているときにだけ、曜日別平均欄１７が表示されるようにした場合、何ヶ月も前の営業結果データと曜日別平均値データとを対比しようとした場合、画面をスクロールさせて行ったり来たりさせなければならない。この第３実施例のように、曜日別平均欄１７だけは、常時表示させておくようにすれば、そのようなことは必要ない。
【００３１】
なお、上記第２、第３実施例では、曜日別合計欄１６や、曜日別平均欄１７に表示される集計結果データを算出する際の基になる詳細データは、画面スクロールを必要とする場合もあるが、結果的に全て、ディスプレイに表示することができるようにしている。しかし、必ずしも、全ての詳細データを表示させるようにしなくてもよい。例えば、営業結果表として、ディスプレイに表示されるのは、最近のデータだけで、平均値や、合計値などの集計データは、もっと過去のデータまでも含んだものにするということである。ただし、ディスプレイ上に表示されている日々の営業結果データは、必ず上記集計データに含まれるようにする。なぜなら、集計結果と全く関係の内データが、表示されていたのでは、それらのデータを対比することに意味がなくなってしまうからである。
また、上記第３実施例では、曜日別集計欄や年合計欄に表示させる集計値は、現在から過去１年間を集計対象としたが、ディスプレイに表示された月から過去１年間の集計を行う（例えば、６月までスクロールさせた場合は２００１年７月１日から２００２年６月３０日までの集計を行う）ようにディスプレイに表示させるデータに合わせて曜日別集計欄や年合計欄の集計対象を変化させる場合もある。
また、１月から１２月までの結果を閲覧する場合、１月〜１１月までスクロールしている間は月平均が表示させ、１２月までスクロールすると、年平均が表示させる場合もある。
【００３２】
また、上記第１〜第３実施例では、ホールコンピュータＣが、集計処理や表示処理を行うようにしているが、これらの処理は、ホールコンピュータが行うのではなく、営業結果を管理するコンピュータを別に設けてもよい。そのコンピュータを、複数のホールと通信を介して接続すれば、複数のホールの営業結果を一括管理するようにすることもできる。その場合、ホールごとの営業結果を管理するだけでなく、複数のホールの営業結果を集計して管理することもできる。
【００３３】
【発明の効果】
第１〜第５の発明によれば、遊技場の営業結果のうち、日々の集計結果を複数同時に表示させることができる。そのため、その表示結果から、複数のデータを対比して、解析することが可能になる。
第２の発明によれば、週単位の集計結果と、日毎の営業結果データとを画面を切り替えなで、見ることができる。そのため、データを簡単に対比できるとともに、様々な観点から、営業結果を解析しやすくなる。
【００３４】
第３の発明によれば、曜日別の集計データと、日毎のデータとを、画面の切り替えをしないでも、対比したり、解析したりすることができる。
第４の発明によれば、月単位の集計と、その月の日々のデータとを、画面切り替えをしないで見ることができる。
第５の発明では、情報記入欄を設けることによって、イベント情報などを営業結果データに関連づけて記録させておくことができる。これにより、情報記入欄の情報を営業結果データを解釈する際の参考にすることができる。
【図面の簡単な説明】
【図１】第１実施例のシステム構成図である。
【図２】第１実施例の営業結果の表である。
【図３】第２実施例の営業結果の表である。
【図４】第３実施例の営業委結果の表である。
【図５】従来の帳票の一例である。
【符号の説明】
１　　　　　遊技台
Ｃ　　　　　コンピュータ
５　　　　　記憶手段
６　　　　　集計処理手段
７　　　　　表示処理手段
８　　　　　ディスプレイ
１０　　　　日付欄
１１　　　　営業結果欄
１２　　　　メモ欄
１４　　　　集合計欄
１５　　　　月度合計欄
１６　　　　曜日別合計欄
１７　　　　曜日別平均欄
【図１】
2004024562.tif 000003
【図２】
2004024562.tif 000004
【図３】
2004024562.tif 000005
【図４】
2004024562.tif 000006
【図５】
2004024562.tif 000007